(57)【要約】【課題】  非常時に物体や人物に対して設置可能であり、その後の追跡が容易に可能となる追跡装置を提供すること。【解決手段】  アンテナと識別情報を記憶したメモリとにより構成され識別情報を送信可能なチップを備え、他の物体に付着可能なよう接着材を周囲に備えた。また、上記チップから識別情報を受信可能な受信装置を備えた。さらに、複数の受信装置から識別情報と共に関連付けられた位置情報を収集するデータ収集装置を備えた。【選択図】図１
2006119955.tif 000002
【特許請求の範囲】
【請求項１】
アンテナと識別情報を記憶したメモリとにより構成され前記識別情報を送信可能なチップを備え、他の物体に付着可能なよう接着材を周囲に備えた、ことを特徴とする追跡装置。
【請求項２】
前記チップを、無電源にて前記識別情報を送信可能なＲＦＩＤにて形成した、ことを特徴とする請求項１記載の追跡装置。
【請求項３】
前記接着剤を周囲に備えた前記チップを噴射可能な噴射器から成る、ことを特徴とする請求項２記載の追跡装置。
【請求項４】
前記チップから前記識別情報を受信可能な受信装置を備えた、ことを特徴とする請求項１，２又は３記載の追跡装置。
【請求項５】
前記受信装置が、予め設置箇所を表す位置情報を記憶すると共に、この位置情報に前記チップから受信した識別情報を関連付けるチップ位置検出手段を備えた、ことを特徴とする請求項４記載の追跡装置。
【請求項６】
前記受信装置のチップ位置検出手段は、予め特定された前記識別情報を受信して前記位置情報に関連付ける、ことを特徴とする請求項５記載の追跡装置。
【請求項７】
複数の前記受信装置から前記識別情報と共に関連付けられた前記位置情報を収集するデータ収集装置を備え、
このデータ収集装置が、前記各受信装置の前記位置情報を記憶すると共に、前記各受信装置ごとに対して指定した前記識別情報の受信を指示する受信指示手段を備え、
この受信指示手段が、前記受信装置から前記識別情報と共に前記位置情報を収集したときに、この受信装置の近辺に存在する他の前記受信装置を前記収集した位置情報と前記記憶している位置情報とに基づいて特定し、当該他の受信装置に対して前記収集した識別情報の受信指示を行う、
ことを特徴とする請求項５又は６記載の追跡装置。
【請求項８】
複数の前記受信装置から前記識別情報と共に関連付けられた前記位置情報を収集するデータ収集装置を備え、
このデータ収集装置が、前記収集したデータを外部に出力するデータ出力手段を備え、
このデータ出力手段が、前記収集したデータの出力を許可する者のユーザ識別情報を予め記憶すると共に、データ出力要求者からユーザ識別情報の入力を受け付けてこのユーザ識別情報が予め記憶されている場合に前記データ出力要求者に対して前記収集したデータを出力する、
ことを特徴とする請求項４，５，６又は７記載の追跡装置。
【請求項９】
アンテナと識別情報を記憶したメモリとにより構成され前記識別情報を送信可能であると共に周囲に接着剤を備えることにより他の物体に付着されたチップから、前記識別情報を受信することを特徴とする受信装置。
【請求項１０】
予め設置箇所を表す位置情報を記憶すると共に、この位置情報に前記チップから受信した識別情報を関連付けるチップ位置検出手段を備えた、ことを特徴とする請求項９記載の受信装置。
【請求項１１】
前記チップ位置検出手段は、予め特定された前記識別情報を受信して前記位置情報に関連付ける、ことを特徴とする請求項１０記載の受信装置。
【請求項１２】
アンテナと識別情報を記憶したメモリとにより構成され前記識別情報を送信可能であると共に周囲に接着剤を備えることにより他の物体に付着されたチップにて送信された前記識別情報を受信する受信装置から、前記識別情報を収集するデータ収集手段を備えた、ことを特徴とするデータ収集装置。
【請求項１３】
前記データ収集手段は、複数の前記受信装置から当該各受信装置の設置箇所を表す位置情報と共に関連付けられた前記識別情報を収集する、ことを特徴とする請求項１２記載のデータ収集装置。
【請求項１４】
前記各受信装置の前記位置情報を記憶すると共に、
前記データ収集手段が、前記各受信装置ごとに対して指定した前記識別情報の受信を指示する受信指示手段を備え、この受信指示手段が、前記受信装置から前記識別情報と共に前記位置情報を収集したときに、この受信装置の近辺に存在する他の前記受信装置を前記収集した位置情報と前記記憶している位置情報とに基づいて特定し、当該他の受信装置に対して前記収集した識別情報の受信指示を行う、
ことを特徴とする請求項１３記載のデータ収集装置。
【請求項１５】
前記データ収集手段にて収集したデータを外部に出力するデータ出力手段を備え、
このデータ出力手段が、前記収集したデータの出力を許可する者のユーザ識別情報を予め記憶すると共に、データ出力要求者からユーザ識別情報の入力を受け付けてこのユーザ識別情報が予め記憶されている場合に前記データ出力要求者に対して前記収集したデータを出力する、
ことを特徴とする請求項１２，１３又は１４記載のデータ収集装置。
【請求項１６】
アンテナと識別情報を記憶したメモリとにより構成され前記識別情報を送信可能であると共に周囲に接着剤を備えたチップを他の物体に付着させ、このチップから受信装置にて前記識別情報を受信する、ことを特徴とする追跡方法。
【請求項１７】
複数の前記受信装置にて受信した前記識別情報をデータ収集装置にて収集する、ことを特徴とする請求項１６記載の追跡方法。
【請求項１８】
前記受信装置が、予め記憶している設置箇所を表す位置情報を、前記チップから前記識別情報を受信したときに当該識別情報に関連付け、
前記データ収集装置が前記識別情報を関連付けられている前記位置情報と共に収集する、ことを特徴とする請求項１７記載の追跡方法。
【請求項１９】
アンテナと識別情報を記憶したメモリとにより構成され前記識別情報を送信可能であると共に周囲に接着剤を備えて他の物体に付着されたチップから、前記識別情報を受信する受信装置に、
当該受信装置が予め記憶している設置箇所を表す位置情報を、前記チップから前記識別情報を受信したときに当該識別情報に関連付けて、接続されたデータ収集装置に対して出力する機能を実現するための追跡用プログラム。
【請求項２０】
アンテナと識別情報を記憶したメモリとにより構成され前記識別情報を送信可能であると共に周囲に接着剤を備えて他の物体に付着されたチップから前記識別情報を受信する受信装置に接続されたデータ収集装置に、
複数の前記受信装置から当該各受信装置の設置箇所を表す位置情報と共に関連付けられた前記識別情報を収集する機能を実現するための追跡用プログラム。
【発明の詳細な説明】
【技術分野】
【０００１】
本発明は、追跡装置にかかり、特に、ＩＣタグを用いた追跡装置に関する。また、追跡装置に用いる受信装置、データ収集装置、これらの動作を制御する追跡用プログラム、追跡方法に関する。
【背景技術】
【０００２】
従来より、様々な構成の防犯装置が実現されており、例えば、防犯ベルなどの被害者が保持する形式のものや、追跡可能な位置情報提供装置を盗難品に装着しておく形式のものがある。これにより、被害者や盗難品の位置情報をより正確に追跡することは可能であった。
【０００３】
一方で、通り魔、ひき逃げ、盗難品に含まれる機密データの持ち去り被害などにおいては、被害者・盗難品の位置情報のみでは、犯罪者（不審者）の追跡を行うことができず、犯罪を防止する上で解決に必要な情報が不足していた。
【０００４】
これに対し、犯罪者の位置の喚起という点では、下記の特許文献１に開示されているように、犯罪者となりうる不審者自体に目立つマーキングを効果的に付着・付与する方法が存在する。具体的には、マーキング液をエアゾール噴射器で不審者に噴射する、というものである。
【０００５】
また、下記の特許文献２に示すように、予め車両にＩＤチップを搭載し、このＩＤチップから車両を識別するデータを読み出して、当該車両を追跡する、というシステムも開示されている。
【０００６】
【特許文献１】特開２０００−３４８３号公報
【特許文献２】特開２０００−９１９７９号公報
【発明の開示】
【発明が解決しようとする課題】
【０００７】
しかしながら、上述したエアゾール噴射器にて不審者にマーキング液を付着させる方法では、不審者に付着したマーキング液の目撃情報に、不審者の追跡を依存せざるをえない。従って、目撃者がマーキングされた不審者を追跡するか、もしくは、多数の正確な目撃情報なしには、不審者の追跡・特定が難しい。
【０００８】
また、車両にＩＤチップを搭載する例では、予め追跡対象物に設置されている必要がある。従って、全ての不審者や物体に対応できず、個人情報保護の観点から、このようなシステムが装備された車両が普及しない、というおそれもある。
【０００９】
このため、本発明では、非常時に物体や人物に対して設置可能であり、その後の追跡が容易に可能となる追跡装置を提供することをその目的とする。
【課題を解決するための手段】
【００１０】
そこで、本発明の一形態である追跡装置は、アンテナと識別情報を記憶したメモリとにより構成され識別情報を送信可能なチップを備え、他の物体に付着可能なよう接着材を周囲に備えた、ことを特徴としている。また、上記チップを、無電源にて識別情報を送信可能なＲＦＩＤにて形成した、ことを特徴としている。このとき、接着剤を周囲に備えた上記チップを噴射可能な噴射器から成る、という構成にしてもよい。
【００１１】
上記発明によると、無線通信可能なチップを所定の物体に付着させることができ、このチップから識別情報が送信されるため、この識別情報を検出することで物体の移動位置の検出を実現することができる。特に、チップをＲＦＩＤにて構成することで、そのサイズを小さく形成でき、当該チップを噴射器に充填して噴射させることが可能となる。従って、例えば不審者などに瞬時に噴射することで上記チップを付着させることができ、サイズが小さいため不審者にも発見されにくく、かかる不審者の追跡を行うことが可能となる。
【００１２】
また、追跡装置は、上記チップから識別情報を受信可能な受信装置を備えた、ことを特徴としている。そして、上記受信装置が、予め設置箇所を表す位置情報を記憶すると共に、この位置情報にチップから受信した識別情報を関連付けるチップ位置検出手段を備えた、ことを特徴としている。このとき、受信装置のチップ位置検出手段は、予め特定された識別情報を受信して位置情報に関連付ける、ことを特徴としている。
【００１３】
上記構成により、チップから発信される識別情報が受信装置にて受信されるため、その識別情報を調べることで受信装置の設置箇所付近に特定のチップが付着された物体や不審者が存在することを容易に認識することができる。特に、受信装置の位置情報と受信した識別情報とを関連付けておくことで、より容易に物体等の追跡を行うことができる。さらには、予め検出対象となる識別情報を特定しておくことで、特定のチップからの識別情報だけを検出することができ、特定の物体等を有効に追跡することができる。
【００１４】
また、追跡装置は、複数の受信装置から識別情報と共に関連付けられた位置情報を収集するデータ収集装置を備え、
このデータ収集装置が、各受信装置の前記位置情報を記憶すると共に、各受信装置ごとに対して指定した識別情報の受信を指示する受信指示手段を備え、
この受信指示手段が、受信装置から識別情報と共に位置情報を収集したときに、この受信装置の近辺に存在する他の受信装置を収集した位置情報と記憶している位置情報とに基づいて特定し、当該他の受信装置に対して収集した識別情報の受信指示を行う、
ことを特徴としている。
【００１５】
これにより、ある識別情報を受信装置にて受信することによって、この受信装置の近辺に当該識別情報を発するチップが付着された物体等が存在することが予想されるため、その近辺に設置された受信装置にてその識別情報の検出を支持することで、効率よく追跡を行うことができる。
【００１６】
また、追跡装置は、複数の受信装置から識別情報と共に関連付けられた位置情報を収集するデータ収集装置を備え、
このデータ収集装置が、収集したデータを外部に出力するデータ出力手段を備え、
このデータ出力手段が、収集したデータの出力を許可する者のユーザ識別情報を予め記憶すると共に、データ出力要求者からユーザ識別情報の入力を受け付けてこのユーザ識別情報が予め記憶されている場合にデータ出力要求者に対して収集したデータを出力する、
ことを特徴としている。
【００１７】
これにより、予め登録された者に対してのみ、追跡情報が出力されるため、追跡情報の善意利用を図ることができる。
【００１８】
また、本発明の他の形態である受信装置は、アンテナと識別情報を記憶したメモリとにより構成され識別情報を送信可能であると共に周囲に接着剤を備えることにより他の物体に付着されたチップから、識別情報を受信することを特徴としている。また、予め設置箇所を表す位置情報を記憶すると共に、この位置情報にチップから受信した識別情報を関連付けるチップ位置検出手段を備えた、ことを特徴としている。このとき、チップ位置検出手段は、予め特定された識別情報を受信して位置情報に関連付ける、ことを特徴としている。
【００１９】
また、本発明の他の形態であるデータ収集装置は、アンテナと識別情報を記憶したメモリとにより構成され識別情報を送信可能であると共に周囲に接着剤を備えることにより他の物体に付着されたチップにて送信された識別情報を受信する受信装置から、識別情報を収集するデータ収集手段を備えた、ことを特徴としている。そして、上記データ収集手段は、複数の受信装置から当該各受信装置の設置箇所を表す位置情報と共に関連付けられた識別情報を収集する、ことを特徴としている。
【００２０】
また、上記データ収集装置は、各受信装置の位置情報を記憶すると共に、
データ収集手段が、各受信装置ごとに対して指定した識別情報の受信を指示する受信指示手段を備え、この受信指示手段が、受信装置から識別情報と共に位置情報を収集したときに、この受信装置の近辺に存在する他の受信装置を収集した位置情報と記憶している位置情報とに基づいて特定し、当該他の受信装置に対して収集した識別情報の受信指示を行う、ことを特徴としている。
【００２１】
さらに、上記データ収集装置は、データ収集手段にて収集したデータを外部に出力するデータ出力手段を備え、
このデータ出力手段が、収集したデータの出力を許可する者のユーザ識別情報を予め記憶すると共に、データ出力要求者からユーザ識別情報の入力を受け付けてこのユーザ識別情報が予め記憶されている場合にデータ出力要求者に対して収集したデータを出力する、
ことを特徴としている。
【００２２】
また、本発明の他の形態である追跡方法は、アンテナと識別情報を記憶したメモリとにより構成され識別情報を送信可能であると共に周囲に接着剤を備えたチップを他の物体に付着させ、このチップから受信装置にて識別情報を受信する、ことを特徴としている。そして、複数の受信装置にて受信した識別情報をデータ収集装置にて収集する、ことを特徴としている。さらに、受信装置が、予め記憶している設置箇所を表す位置情報を、チップから識別情報を受信したときに当該識別情報に関連付け、データ収集装置が識別情報を関連付けられている位置情報と共に収集する、ことを特徴としている。
【００２３】
また、本発明の他の形態である追跡用プログラムは、
アンテナと識別情報を記憶したメモリとにより構成され識別情報を送信可能であると共に周囲に接着剤を備えて他の物体に付着されたチップから、識別情報を受信する受信装置に、
当該受信装置が予め記憶している設置箇所を表す位置情報を、チップから識別情報を受信したときに当該識別情報に関連付けて、接続されたデータ収集装置に対して出力する機能を実現する、という構成を採っている。
【００２４】
さらに別の形態の追跡用プログラムとして、
アンテナと識別情報を記憶したメモリとにより構成され識別情報を送信可能であると共に周囲に接着剤を備えて他の物体に付着されたチップから識別情報を受信する受信装置に接続されたデータ収集装置に、
複数の受信装置から当該各受信装置の設置箇所を表す位置情報と共に関連付けられた識別情報を収集する機能を実現する、という構成を採っている。
【００２５】
上記構成にしても、上述した追跡装置同様に作用し、非常時に所定の物体に対して設置可能であり、その後の追跡が容易に可能となる、という本発明の目的を達成することができる。
【発明の効果】
【００２６】
本発明は以上のように構成され機能するので、これによると、通信可能なチップを所定の物体に付着させることができ、このチップから識別情報が送信されるため、この識別情報を検出することで物体の移動位置の検出を実現することができ、かかる物体の追跡を容易に行うことが可能となる、という従来にない優れた効果を有する。
【発明を実施するための最良の形態】
【００２７】
本発明は、不審者などを含む追跡対象物体にＩＣタグを付着させ、追跡対象物体への確実にマーキングし、上記ＩＣタグが発する電磁波を受信することで、不審者の位置情報を自動的に追跡・記録することを可能とすることに特徴を有する。以下、具体的な構成を、実施例を参照して説明する。
【実施例１】
【００２８】
本発明の第１の実施例を、図１乃至図８を参照して説明する。図１は、本発明である追跡装置の全体構成を示すブロック図である。図２乃至図４は、追跡装置の使用状態を示す説明図である。図５は、追跡装置にて使用されるデータの一例を示す説明図である。図６乃至図８は、追跡装置の動作を示すシーケンス図である。
【００２９】
＜全体構成＞
本発明である追跡装置は、図１に示すように、ユーザＵが所持する噴射器１０と、これに充填された接着剤が付着されたＩＣタグ１１と、上記噴射器共にユーザＵが所持する操作端末２０と、ユーザＵが追跡情報の通知を受ける通知対象端末３０と、街頭などに設置されている複数のＩＣタグ読取装置４０と、このＩＣタグ読取装置４０にて読み取ったデータを収集して管理等行う読取データ収集サーバ５０、データ登録サーバ６０、データ管理サーバ７０、データベース８０と、により構成されている。以下、各構成について詳述する。
【００３０】
＜噴射器、ＩＣタグ＞
まず、噴射器１０について説明する。噴射器１０は充填された液状の物質をノズルから噴射する噴射器である。そして、充填されている物質は、他の物体に付着可能なよう接着材を周囲に備えており、アンテナと識別情報を記憶したメモリとにより構成され識別情報を無線にて送信可能なＩＣタグ１１（チップ）である。換言すると、エアゾール接着剤に複数のＩＣタグが混在して構成されている。このとき、ＩＣタグ１１は、バッテリーを持たず、アンテナとＩＣチップのみによるＲＦＩＤにて構成されていることから、微小な構成（例えば、０．５ｍｍ以下）を実現でき、噴射器１０にて噴射可能である。従って、ユーザＵによってエアゾール接着剤と共に噴射された無線ＩＣチップ１１は、噴射対象物に付着されることとなる。なお、上記ＩＣタグ１１は、バッテリーを備えていてもよい。
【００３１】
そして、ＩＣタグ１１に備えられたメモリに記憶された識別情報は、１つの噴射器１０に充填されているものは全て同一の識別情報を記憶している。但し、他のユーザが有する噴射器に充填されているＩＣタグに記憶されている識別情報とは異なる。
【００３２】
かかる構成により、ユーザＵが街頭などで引ったくりなど不審者Ｔに遭遇した際には、所有している噴射器１０を不審者Ｔに対して噴射することにより、エアゾール接着剤と共に噴射されたＩＣタグ１１が不審者Ｔに付着することとなる。なお、ユーザＵは、追跡を希望する大事な所有物に対して予め噴射器１０から噴射していることで、ＩＣタグ１１を付着させておく、というように使用してもよい。
【００３３】
＜操作端末＞
操作端末２０は、ユーザＵが所有する通信装置及び入力装置を備えた情報通信端末である。例えば、携帯電話やＰＨＳなどにより構成されていてもよい。そして、この操作端末２０は、ユーザＵが操作することにより利用登録を行ったり、追跡開始の指示を行ったりするため、以下の構成を備えている。すなわち、操作端末２０は、当該操作端末２０を識別するための識別情報を記憶したＩＣタグ２１と、この識別情報を外部に対して自ら送信を可能とするためのバッテリー２２と、緊急時に追跡情報の収集の開始を指示するアクティベータ２３と、利用開始時に利用者により緊急時の追跡情報の通知先情報などを事前登録可能とする登録装置２４と、を備えている。
【００３４】
さらに詳述すると、まず、上記ＩＣタグ２１は、操作端末２０が有する通信機能を用いてＩＣタグ読取装置４０に対して、当該操作端末２０固有の識別情報を送信する。また、上記アクティベータ２３は、緊急時にネットワークＮを介して読取データ収集サーバ５０にアクセスし、上述した噴射器１０にて不審者Ｔに付着させたＩＣタグ１１の位置の追跡開始を指示する。また、登録装置２４は、ネットワークＮを介してデータ登録サーバ６０にアクセスし、ユーザＵが事前にユーザ情報や緊急時の追跡データの通知先などのデータを登録する。
【００３５】
ここで、上記操作端末２０とデータ登録サーバ６０とを接続するネットワークＮは、例えば、公衆回線からなる。また、後述するように、ＩＣタグ読取装置４０や読取データ収集サーバ５０、データ管理サーバ７０なども、同様にネットワークＮである公衆回線を介して接続されている。
【００３６】
＜ＩＣタグ読取装置＞
次に、ＩＣタグ読取装置４０（受信装置）について説明する。このＩＣタグ読取装置４０は、主にＩＣタグリーダ４１と送信装置４２とにより構成されており、公道や公道に設置された防犯設備、公共施設、店舗、交通機関の車両・施設など防犯を対象とする地域の幅広い施設・設備に設置されている。そして、基本的には、後述する読取データ収集サーバ５０からの指令に応じて、ＩＣタグ１１からの識別情報の受信を開始する。
【００３７】
具体的には、ＩＣタグリーダ４１は、一定間隔で電磁波を発生し、近傍に存在している接着剤にて不審者Ｔに付着されたＩＣタグ１１からの応答、すなわち、ＩＣタグ１１の識別情報を受信する。また、送信装置４２は、受信したＩＣタグ１１の識別情報をネットワークＮを介して読取データ収集サーバ４０に送信する。このとき、送信装置４２は、例えば、携帯電話機能もしくはＰＨＳ機能を用いて、読取データ収集サーバ４０に情報を送信する。
【００３８】
また、上記送信装置４２には、図示しないがメモリを備えていて、当該ＩＣタグ読取装置４０を識別する読取装置識別情報（位置情報）を記憶しており、上記受信したＩＣタグ１１の識別情報に読取装置識別情報を関連付ける機能を有している（チップ位置検出手段）。そして、この関連付けた情報を読取データ収集サーバ４０に送信する。なお、この予め記憶している読取装置識別情報は、ＩＣタグ読取装置４０ごとの設置箇所を表す位置情報としての機能も果たす。すなわち、読取データ収集サーバ５０では、読取装置識別情報に対応して各ＩＣタグ読取装置４０の位置を特定する情報が記憶されており、これにより、読取装置識別情報を調べることで、ＩＣタグ１１の識別情報を検出した位置を特定することができる。なお、読取装置識別情報は、かかる情報自体が設置位置を特定する情報になっていてもよい。
【００３９】
また、送信装置４２の図示しないメモリには、後述するように読取データ収集サーバ４０から送信された特定のＩＣタグ１１の識別情報を記憶し、かかる特定の識別情報のみをＩＣタグリーダ４１にて受信するよう作動する。従って、受信指示のあった特定のＩＣタグ１１の識別情報のみを受信した後に、読取装置識別情報に関連付けて読取データ収集サーバ５０に送信する。
【００４０】
さらに、ＩＣタグ読取装置４０は、上述した操作端末２０に搭載されたＩＣタグ２１が自ら発信する電磁波も読み取り、当該操作端末２０の識別情報も受信して、読取装置識別情報に関連付けて読取データ収集サーバ５０に送信する機能を有する。
【００４１】
＜読取データ収集サーバ＞
読取データ収集サーバ５０（データ収集装置）は、通信手段を備え、ネットワークＮに接続された一般的なサーバコンピュータである。そして、ユーザＵの操作端末２０のアクティベータ２３からの追跡開始を受信すると、各ＩＣタグ読取装置４０に対してＩＣタグ１１から発信される情報の読取を指示する機能を有する。また、これに応じてＩＣタグ読取装置４０にてＩＣタグ１１から受信された識別情報や、位置を表す読取装置識別情報を受信し、データベース８０に記憶しておく機能を有する。
【００４２】
また、読取データ収集サーバ５０は、上記各ＩＣタグ読取装置４０の位置情報を読取装置識別情報と共に記憶しており、各ＩＣタグ読取装置４０の位置関係を認識可能である。そして、上述したＩＣタグ読取装置４０に受信指示を送る機能は、特に、特定の識別情報を発しているＩＣタグ１１からの情報のみを受信するよう指示することも可能である。さらに、ある特定のＩＣタグ読取装置４０からＩＣタグ１１の識別情報と共に当該ＩＣタグ読取装置４０の読取装置識別情報（位置情報）を収集したときに、このＩＣタグ読取装置４０の近辺に存在する他のＩＣタグ読取装置４０を、収集した読取装置識別情報と上述した記憶している位置情報とに基づいて特定し、当該他のＩＣタグ読取装置４０に対して収集したＩＣタグ１１の識別情報の受信指示を行う機能を有している。すなわち、ある特定のＩＣタグ読取装置４０にて検出対象のＩＣタグ１１の識別情報を受信すると、その近辺に存在する他のＩＣタグ読取装置４０（当該ＩＣタグ読取装置４０を含む）を特定して、同じＩＣタグ１１の識別情報の受信指示を出す。これにより、地域を絞ってＩＣタグ１１の追跡を実行することができる。
【００４３】
＜データ登録サーバ＞
データ登録サーバ６０は、ユーザＵがシステムを利用する時に、当該ユーザＵから認証情報を取得し、必要に応じてユーザＵの様々な履歴情報と照らして利用可否判断を実施する。そして、ユーザＵの悪用を事前に確認・抑制する。また、ユーザＵがシステムをアクティベートさせた場合の緊急情報、追跡情報の通知連絡先、通知先の識別情報などを、操作端末２０の登録装置２４から受け取り、データベース８０に記憶させる。
【００４４】
＜データ管理サーバ＞
データ管理サーバ７０は、データベース８０に格納されたデータ、すなわち、検出したＩＣタグ１１の位置情報などの追跡情報を読み出して、あらかじめ通知先として指定された通知先に、データの格納が開始されたことを通知する。すなわち、収集したデータを外部に出力するデータ出力手段を備えている。
【００４５】
また、上述したようにデータベース８０にはユーザ情報が記憶されており、このユーザ情報は収集したデータの出力を許可する者であるユーザ識別情報として記憶されている。そして、上記データ出力手段は、データ出力要求者であるユーザＵから、通知対象端末３０などを用いて入力されたユーザ識別情報を受け付けて、このユーザ識別情報が予め記憶されているか否かを調べ、記憶されている場合にデータ出力要求者に対して収集したデータを出力する機能を有する。すなわち、通知先からアクセスしてきたユーザＵを、データベース８０に格納されたユーザ情報に基づき認証し、データ読み取りの正当なユーザＵであることを確認の上で、追跡情報を提供する。一方、認証に失敗するなどで、悪用が認められる者については、利用者に関する記憶データのアクセスおよび新たな記憶を停止するとともに以後のシステム利用を拒絶すること可能とするよう、アクセスしてきた者の情報をデータベース８０から消去するよう、データ登録サーバ６０に通知する。
【００４６】
＜動作＞
次に、上述した追跡装置全体の動作について、図４乃至図８を参照して説明する。図４は、各装置間のアクセス状況を示す説明図であり、図５は、装置にて用いられるデータの具体例を示す説明図である。図６乃至図８は、動作を示すシーケンス図である。まず、図６を参照して、データ登録動作について説明する。
【００４７】
図６に示すように、ユーザＵは、はじめに追跡システムの利用登録を行う。このとき、ユーザＵは操作端末２０の登録装置２４から、本人を認証、本人情報を確認することを可能とする電子的データ、例えば、住民基本台帳カードなどの持つ本人情報（利用者識別情報）をデータ登録サーバ６０に送信する（ステップＳ１、図４の矢印Ｙ１参照）。これを受信したデータ登録サーバ６０は、必要に応じて外部機関などにデータ照会し、利用者の様々な履歴情報と照らして利用可否判断を実施する（ステップＳ２）。
【００４８】
続いて、データ登録サーバ６０にてユーザＵの利用が可能と判断された場合、ユーザＵに追跡時に必要となるデータをデータ登録サーバ６０に登録するよう依頼する（ステップＳ３）。これに対し、ユーザＵは登録装置２４にて、操作端末２０の識別情報（操作端末固体識別番号）、追跡時に必要となるＩＣタグ１１の識別情報（無線ＩＣタグ識別番号）、追跡データの送付先（通知対象端末３０へのアドレスデータ（通知連絡先））、ユーザＵを識別するための識別情報（たとえば住民基本台帳番号など（データ参照者識別番号））など、を「記憶対象登録データ（図５（ａ）参照）」としてデータ登録サーバ６０に送信する（ステップＳ４）。そして、これを受信したデータ登録サーバ６０はデータベースに登録する（ステップＳ５、ステップＳ６）。
【００４９】
その後、ユーザＵがシステム利用を終了し、登録情報の消去を通知対象端末３０を用いてデータ管理システム７０に依頼した場合の動作をステップＳ１１以降に示す。ユーザＵからデータ管理サーバ７０を介して登録消去通知を受信したデータ登録サーバ６０は（ステップＳ１１，Ｓ１２，Ｓ１３）、通常の登録解除であれば、ユーザＵの「記憶対象登録データ（図５（ａ）参照）」、及び、後述するように追跡処理の結果生じたすべての「追跡データ（図５（ｂ）参照」を、データベース８０から消去する（ステップＳ１４）。一方、データ管理システム７０が、ユーザＵからのデータ要求時に当該ユーザの認証に失敗するなど、ユーザによる追跡システムの悪用が検知された場合には、かかるユーザＵの「記憶対象登録データ」やすべての「追跡データ」をデータベース８０から消去するとともに、以後のシステム利用を拒絶するため「登録拒否者データ（図５（ｇ）参照）」をデータベースに登録する（ステップＳ１５，Ｓ１６）。
【００５０】
次に、図７乃至図８を参照してＩＣタグ１１の追跡動作を説明する。まず、上述したように、図２に示すように、ユーザＵが緊急時に、噴射器１０にて不審者Ｔに向かって噴射させ、接着剤に混在されたＩＣタグ１１を付着させる。これと同時に、操作端末２０のアクティベータ２３を用いて、システムをアクティベートさせる。すなわち、不審者Ｔに付着させたＩＣタグ１１を追跡対象として、読取データ収集サーバ４０を介してデータベース８０に記憶させ、ＩＣタグ読取装置４０にＩＣタグ１１の追跡を開始させる。具体的には、操作端末２０のアクティベータ２３により、読取データ収集サーバ５０にアクセスして（図４の矢印Ｙ２参照）、アクティベートが要求されると「追跡要求データ（図５（ｃ）参照））」が読取データ収集サーバ５０に渡される。
【００５１】
読取データ収集サーバ５０は、追跡要求を送付してきた操作端末２０の識別情報（操作端末個体識別番号）、および、追跡対象として登録すべきＩＣタグ１１の識別情報（無線ＩＣタグ識別番号）を、受信した「追跡要求データ」から取得する（ステップＳ２２）。このとき、操作端末２０から発せられた識別情報をＩＣタグ読取装置４０が検出した場合は、その位置情報を読取データ収集サーバ５０が利用可能であり、その場合は「追跡要求データ」に通信発生地点情報として追加される。
【００５２】
続いて、読取データ収集サーバ５０は、収集したデータに基づき、「読取装置通知データ（図５（ｄ）参照）」を作成し、全てのＩＣタグ読取装置４０に通知し、ＩＣタグ１１の検知を開始させる（ステップＳ２２）。このとき、操作端末２０の位置情報が利用可能な場合は、現在地近傍のＩＣタグ読取装置４０に優先的に検知するよう高い優先度を通知する。なお、読取データ収集サーバ５０は、操作端末２０から受信した追跡開始情報などを、データベース８０に登録する。
【００５３】
続いて、ＩＣタグ読取装置４０は、読取データ収集サーバ５０から「読取装置通知データ」を受け取ると、指定されたＩＣタグ１１の識別情報を検知した際に報告する対象に追加し、検出を開始する（ステップＳ２３）。すると、一定時間単位に検出対象のＩＣタグ１１の検出を続行し、検出対象として指定されたＩＣタグ１１を検出した時点で（ステップＳ２４，Ｓ２５）、検出情報を「読取装置報告データ（図５（ｅ）参照）」として、読取データ収集サーバ５０に情報を送付する（ステップＳ２６）。
【００５４】
そして、読取データ収集サーバ５０は、ＩＣタグ読取装置４０から「読取装置報告データ」を受信すると、「追跡データ（図５（ｂ）参照）」としてデータベース８０に追跡情報を履歴データに追加し保存する（ステップＳ２７，Ｓ２８）。この際、ある一定期間にどのＩＣタグ読取装置４０にて同一識別番号をもつＩＣタグ１１を何個検知したのかを算出し、データベース８０に追加し保存する。算出した情報に基づき、もっとも多くの数を検出したＩＣタグ読取装置４０の近傍に設置された他のＩＣタグ読取装置４０に高い優先度を与えて、新たな読み取り指示のための情報を持つ「読取装置通知データ（図５（ｄ）参照）」を読取データ収集サーバ５０が送信する（ステップＳ２９）。そして、これに応じて、ＩＣタグ読取装置４０は、「読取装置通知データ」に基づき、優先度の再設定を行い検出作業を続行する（ステップＳ３０）。
【００５５】
なお、ユーザＵが追跡結果を知りたい場合には、図８に示すように、通知対象端末３０からデータ管理サーバ７０に追跡データの要求を行う（ステップＳ３１）。このとき、データ管理サーバ７０はデータベース８０に登録されているユーザ情報を参照してアクセスしてきたユーザの認証を行い（ステップＳ３２）、認証に成功すると追跡データをデータベース８０から読み出して（ステップＳ３３，Ｓ３４）、通知対象端末３０に通知する（ステップＳ３５）。
【００５６】
また、読取データ収集サーバ５０は、ＩＣタグ読取装置４０に「読取装置通知データ」を送信すると、データ管理サーバ７０にユーザＵから登録消去要求が来ていないことを確認する。すなわち、追跡続行の確認を行う（ステップＳ４１）。なお、ユーザＵから追跡終了の要求がなされている場合には、データ管理サーバ７０から「追跡終了データ（図５（ｆ）参照）」が送付されてくるが、これが送付されてこない場合には、追跡終了要求はまだ来ていないと判断し、処理を続行する。一方、「追跡終了データ」が送信されてきた場合には（ステップＳ４２）、ＩＣタグの追跡を中止するため（ステップＳ４３）、ＩＣタグ読取装置用に「追跡終了データ」を作成し、全ＩＣタグ読取装置４０に送信する（ステップＳ４４）。これにより、ＩＣタグ読取装置４０は、ＩＣタグの検知を終了し、検知作業が停止される。
【００５７】
このようにすることにより、ＩＣタグを不審者を非常時に付着させることができ、かつ、このＩＣタグから発せられる識別情報を検出することで、不審者の追跡を実現することができる。そして、特にＩＣタグを検出したＩＣタグ読取装置４０の位置を認識することで、より効果的にＩＣタグが付着された不審者の追跡を実行することができる。
【００５８】
ここで、上記では、読取データ収集サーバ５０、データ登録サーバ６０、データ管理サーバ７０、データベース８０は、全ての別のサーバコンピュータにて構成されている場合を例示したが、これらを全てまとめて１つのサーバコンピュータにて構成し、データ収集装置としてもよい。あるいは、これらのうちの数台のみを１つのサーバコンピュータに集約して構成してもよい。
【実施例２】
【００５９】
上記実施例では、不審者に付着させるＩＣタグ１１を、エアゾール接着剤と共に噴射器１０に充填して、噴射させる場合を例示したが、これに限定されない。ＩＣタグ１１の周囲に、特殊粘着剤、粘着テープ、粘着シート、などを設けて、この粘着・接着剤が設けられたＩＣタグ１１は、ユーザＵが不審者に投げつけるなどして不審者に付着させてもよい。あるいは、上記粘着・接着剤が設けられたＩＣタグ１１を、盗難防止対象の物体にあらかじめ付着しておいてもよい。
【産業上の利用可能性】
【００６０】
本発明は、物体や不審者を追跡する装置として利用可能であり、防犯装置として産業上の利用可能性を有する。
【図面の簡単な説明】
【００６１】
【図１】追跡装置の全体構成を示すブロック図である。
【図２】噴射器の使用状態を示す説明図である。
【図３】追跡装置の具体的な構成を示す機能ブロック図である。
【図４】追跡装置の通信状況を示す説明図である。
【図５】追跡装置にて用いられるデータを示す説明図である。
【図６】追跡装置の動作を示すシーケンス図である。
【図７】追跡装置の動作を示すシーケンス図である。
【図８】追跡装置の動作を示すシーケンス図である。
【符号の説明】
【００６２】
１０  噴射器
１１  ＩＣタグ
２０  操作端末
３０  通知対象端末
４０  ＩＣタグ読取装置
５０  読取データ収集サーバ
６０  データ登録サーバ
７０  データ管理サーバ
８０  データベース
Ｕ  ユーザ
Ｔ  不審者
【図１】
2006119955.tif 000003
【図２】
2006119955.tif 000004
【図３】
2006119955.tif 000005
【図４】
2006119955.tif 000006
【図５】
2006119955.tif 000007
【図６】
2006119955.tif 000008
【図７】
2006119955.tif 000009
【図８】
2006119955.tif 000010